(57)【要約】【課題】  本発明はドラム式洗濯機の点検、修理の際に妨げとなる固着した洗濯槽のドラムをフランジから引き外す事を可能にした。【解決手段】  洗濯槽のドラムを複数本のねじにてモーター回転軸のフランジ取り付け装備した洗濯機において、前記複数本のねじの任意の一本を離脱しない範囲内で緩め、次に前記ドラムに沿えられた取り外し金具に進退自在に装備されたねじ棒の先端を前記緩めたねじ頭部に当て、その後取り外し用ねじ棒の回転によりドラムを前記取り外し用ねじ棒の進退に追随させて、前記ドラムを前記モーター回転軸のフランジから引き外す様にした事を特徴とした洗濯機における洗濯槽ドラムの取り外し方法。【選択図】図２
2011218106.tif 000002
【特許請求の範囲】
【請求項１】
洗濯槽のドラムを複数本のねじにてモーター回転軸のフランジに取り付けて装備した洗濯機において、前記複数本のねじの任意の一本を離脱しない範囲内で緩め、次に前記ドラムに沿えられた取り外し金具に進退自在に装備されたねじ棒の先端を前記緩めたねじの頭部に当て、その後取り外し用ねじ棒の回転によりドラムを前記取り外し用ねじ棒の進退に追随させて、前記ドラムを前記モーター回転軸のフランジから引き外す様にした事を特徴とした洗濯機における洗濯槽ドラムの取り外し方法。
【請求項２】
洗濯槽のドラムを複数本のねじにてモーター回転軸のフランジに取り付けて装備した洗濯機において、前記複数本のねじを取り外し、その後頭部に角穴を有する前記取り外されたねじ孔に螺合させて直立させ、一本を離脱しない範囲内で取り付け、次に前記ドラムの口部内側縁に取り外し金具に進退自在に装備されたねじ棒の先端を前記ねじの頭部の角穴に当て、その後取り外し用ねじ棒の回転によりドラムを前記取り外し用ねじ棒の進退に追随させて、前記ドラムを前記モーター回転軸のフランジから引き外す様にした事を特徴とした洗濯機における洗濯槽ドラムの取り外し方法。
【発明の詳細な説明】
【技術分野】
【０００１】  本発明はドラム式洗濯機のフランジと、固着して外れない洗濯槽のドラムを取り外す方法に関するものである。
【背景技術】
【０００２】  一般的にドラム式洗濯機の洗濯槽を修理、点検時、洗濯槽のドラムが作業の妨げになり外す必要がある、このドラムはその底部を挿通して、モーターの回転軸に備えられたフランジと複数本のねじで取り付けてあるので新品の時は外す事は容易であるが、長年使用している程ドラムの底部と前記フランジの間に洗剤や水中のカルシュウム等が浸透して固着し前記複数本のねじを全て外しても前記ドラムは外れず修理、点検が不可となる。
【発明の開示】
【発明が解決しようとする課題】
【０００３】  前述の欠点を解決して、ドラム式洗濯機の洗濯槽のドラムを容易に外すことを可能にした。
【課題を解決する為の手段】
【０００４】  本発明は洗濯槽のドラムを複数本のねじにてモーター回転軸のフランジ取り付け装備した洗濯機において、前記複数本のねじの任意の一本を離脱しない範囲内で緩め、次に前記ドラムに沿えられた取り外し金具に進退自在に装備されたねじ棒の先端を前記緩めたねじ頭部に当て、その後取り外し用ねじ棒の回転によりドラムを前記取り外し用ねじ棒の進退に追随させて、前記ドラムを前記モーター回転軸のフランジから引き外す様にしたものである。
【０００５】  更に本発明は洗濯槽のドラムを複数本のねじにてモーター回転軸のフランジに取り付けて装備した洗濯機において、前記複数本のねじを取り外し、その後頭部に角穴を有する前記取り外されたねじ孔に螺合させて直立させ、一本を離脱しない範囲内で取り付ける。
【０００６】  次に前記ドラムの口部内側縁に取り外し金具に進退自在に装備されたねじ棒の先端を前記ねじの頭部の角穴に当て、その後取り外し用ねじ棒の回転によりドラムを前記取り外し用ねじ棒の進退に追随させて、前記ドラムを前記モーター回転軸のフランジから引き外す様にした事を特徴とした洗濯機における洗濯槽ドラムの取り外す様にしたものであると、請求項２を上記と同じ様に記す。
【発明の効果】
【０００７】（１）請求項１によりねじ棒の回転操作によって洗濯槽からドラムを強制的に引き離すことができ修理、点検が容易に行える。
（２）請求項２によりねじ棒を所定の位置にセッティングができる。
【発明を実施するための最良の形態】
【実施例】
【０００８】  以下本発明はドラム式洗濯機を実施例として掲げた図に基いて説明すると、図１は本発明に係わるドラム式洗濯機の概略断面図であって洗濯槽のドラム１はモーター回転軸３に装備したフランジ２と複数本のねじ４で結合されている。【０００９】  しかしてこの状態からねじ４を全て外しそのねじ孔の一つに一本の角穴付きねじ７を離脱しない範囲内で取り付けるとフランジ２と角穴付きねじ７が一体となり、ドラム１は貫通孔なのでドラム１は自由になる。【００１０】次に引き離す力に耐える能力と回転により推進力を生じる雌ねじ５ａを備えた取り外し金具５をドラム１の口部内縁に雌ねじ５ａの位置が角穴付きねじ７の真上に位置するように架ける。【００１１】  次に引き離す力と同等の押す力に耐える能力と角穴付きねじ７の頭７ａに回転力を伝達しない円い構造の先端６ａを備えたねじ棒６を雌ねじ５ａに取り付けて、ねじ棒６に装備したハンドル６ｂを回転させるとその先端６ａが角穴付きねじ７の頭７ａを押し、結果ドラム１とフランジ２間の距離が広がりドラム１が外れる。【００１２】  尚、ドラム１とフランジ２を結合している複数本の任意のねじ４だけで取り外すことも可能であるが、角穴付きねじ７を使用するとセッティングが容易で関連機構が単純なり、且つ取り外し金具５を沿わす位置はドラム１の外側も考えられるが機構が複雑になる。【００１３】  次に本発明の洗濯槽ドラム取り外し順序を説明すると、先ず事前にパネル、洗剤ケース、ドア等をす。【００１４】  しかしてドラム１とフランジ２と結合している複数本のねじ４を全て外し、その複数のねじ孔の一つに角穴付きねじ７一本を離脱しない範囲内で取り付ける。【００１５】  次に取り外し金具５に備えた雌ねじ５ａの位置が角穴付きねじ７の真上に位置するようにドラム１の口部内縁に架ける。【００１６】  次にねじ棒６をその雌ねじ５ａに取り付けて、ねじ棒６に装備したハンドル６ｂを回転させるとその先端６ａが角穴付きねじ７の頭７ａを押しドラム１を外すこととなる。
【図面の簡単な説明】
【００１７】
【図１】ドラム式洗濯機の概略断面図
【図２】同上のドラム部を示す斜視図
【図３】同上のドラムを引き離し前の断面図
【図４】同上の引き離しを進めた断面図
【図５】図３の部分拡大図
【図６】図４の部分拡大図
【図７】取り外し金具の斜視図
【図８】同上のＡ−Ａ線断面図
【図９】ねじ棒の正面図
【図１０】角穴付きねじの正面図
【図１１】同上の側面図
【符号の説明】
【００１８】１    ドラム
２    フランジ
３    モーター軸
４    ねじ
５    取り外し金具
６    ねじ棒
７    角穴付きねじ
【図１】
2011218106.tif 000003
【図２】
2011218106.tif 000004
【図３】
2011218106.tif 000005
【図４】
2011218106.tif 000006
【図５】
2011218106.tif 000007
【図６】
2011218106.tif 000008
【図７】
2011218106.tif 000009
【図８】
2011218106.tif 000010
【図９】
2011218106.tif 000011
【図１０】
2011218106.tif 000012
【図１１】
2011218106.tif 000013